(57)【要約】【課題】発光色の切り替えを適切且つ容易に行うことが可能な携帯発光装置を提供する。【解決手段】複数の発光素子と、外部の光を受光し、受光した光に含まれる色成分に基づく発光色情報を取得する取得部と、取得された前記発光色情報に基づいて、前記発光素子が発する光の輝度を設定し、前記発光素子の発光及び発光停止の制御を行う制御部と、を有する携帯発光装置。【選択図】図２
2019083124.tif 000002
【特許請求の範囲】
【請求項１】
複数の発光素子と、
外部の光を受光し、受光した光に含まれる色成分に基づく発光色情報を取得する取得部と、
取得された前記発光色情報に基づいて、前記発光素子が発する光の輝度を設定し、前記発光素子の発光及び発光停止の制御を行う制御部と、
を有する携帯発光装置。
【請求項２】
前記複数の発光素子は、少なくとも赤色ＬＥＤ、緑色ＬＥＤ、青色ＬＥＤを含み、
前記取得部は、
少なくとも赤帯域に受光感度のピークを持つ第１の受光部、緑帯域に受光感度のピークを持つ第２の受光部、及び青帯域に受光感度のピークを持つ第３の受光部を含むカラーセンサと、
前記カラーセンサで受光した各帯域の光の色信号に基づいて、少なくとも赤色成分、緑色成分、青色成分の前記発光色情報を取得する発光色情報取得回路と、
を有し、
前記制御部は、取得された前記赤色成分の発光色情報に基づいて、前記赤色ＬＥＤが発する光の輝度を設定し、取得された前記緑色成分の発光色情報に基づいて、前記緑色ＬＥＤが発する光の輝度を設定し、取得された前記青色成分の発光色情報に基づいて、前記青色ＬＥＤが発する光の輝度を設定することを特徴とする請求項１記載の携帯発光装置。
【請求項３】
各種の指示入力を行うための入力部を有し、
前記制御部は、前記発光素子が発光した状態で前記入力部から発光色を切り替えるための指示入力があった場合、前記発光素子の発光を停止させた後に前記発光素子が発する光の輝度を設定し、さらに前記発光素子を発光させることを特徴とする請求項１または２記載の携帯発光装置。
【発明の詳細な説明】
【技術分野】
【０００１】
本発明は携帯発光装置に関する。
【背景技術】
【０００２】
アーティストのライブコンサートや各種イベント等においては、観客参加型の演出方法が採用されることがある。たとえば、楽曲の演奏や演出に合わせて観客がペンライトを動かすことで演出効果を高める方法がある。
【０００３】
このようなペンライトには、所定の色（単色）を発光するものや、複数色を発光可能なもの（非特許文献１参照）がある。
【０００４】
また、特許文献１には、複数色を発光可能なペンライトを利用した演出用発光装置が開示されている。特許文献１に開示された演出用発光装置は、複数の携帯発光装置（ペンライト）の発光色を、無線接続された一台の発光状態制御装置によって制御することで、観客席において任意の光の文字、画像、模様を表現することができる。
【先行技術文献】
【特許文献】
【０００５】
【特許文献１】特開２００３−３６９８１号公報
【非特許文献】
【０００６】
【非特許文献１】“ＴｕｒｎＯＮ  ＭＩＸ  ＰＥＮＬａ−ＨＢ  ２４ｃ  Ｄｅｃｏ  スティック  キラキラ  ワイド  Ｌタイプ”、［ｏｎｌｉｎｅ］、ターンオン有限会社、［平成２９年１０月１８日検索］、インターネット＜ＵＲＬ：http://www.turn-on.jp/products/mixpenlahb/mixpenlahb_kirakirawl.html＞
【発明の概要】
【発明が解決しようとする課題】
【０００７】
ここで、特許文献１に開示された演出用発光装置を利用する場合、ペンライトの発光色を制御するための制御装置が必要となったり、制御装置と通信可能な専用のペンライトを準備しなければならないため、煩雑である。
【０００８】
一方、非特許文献１のペンライトを使用し、演出に合わせて観客自身がペンライトの発光色を切り替えることも可能である。しかし、このようなペンライトを使用する場合、ペンライトの操作に不慣れな観客や演出内容を把握できていない観客は、適切に発光色を切り替えることが困難である。
【０００９】
本発明の目的は、操作に不慣れな観客や演出内容を把握できていない観客であっても、発光色の切り替えを適切且つ容易に行うことが可能な携帯発光装置を提供することにある。
【課題を解決するための手段】
【００１０】
上記目的を達成するための主たる発明は、複数の発光素子と、外部の光を受光し、受光した光に含まれる色成分に基づく発光色情報を取得する取得部と、取得された前記発光色情報に基づいて、前記発光素子が発する光の輝度を設定し、前記発光素子の発光及び発光停止の制御を行う制御部と、を有する携帯発光装置である。
本発明の他の特徴については、後述する明細書及び図面の記載により明らかにする。
【発明の効果】
【００１１】
本発明によれば、操作に不慣れな観客や演出内容を把握できていない観客であっても、携帯発光装置の発光色の切り替えを適切且つ容易に行うことができる。
【図面の簡単な説明】
【００１２】
【図１】実施形態に係る携帯発光装置の外観構成を示す図である。
【図２】実施形態に係る携帯発光装置の内部構成を示すブロック図である。
【図３】実施形態に係る携帯発光装置の動作を示すフローチャートである。
【発明を実施するための形態】
【００１３】
図１〜図３を参照して、実施形態に係る携帯発光装置１について説明する。携帯発光装置１は、複数色を発光可能な装置である。携帯発光装置１は、アーティストのライブコンサートや各種イベントの他、ダンス等のパフォーマンスに用いることができる。携帯発光装置１は、図１に示すようなペンライト型の他、腕時計型や団扇型等、使用する場面や目的に応じて様々な形状を採用することができる。
【００１４】
＝＝携帯発光装置の外観構成＝＝
図１に示すように、本実施形態に係る携帯発光装置１は、発光部２及び把持部３から構成される。
【００１５】
発光部２は、たとえば、直径３０ｍｍ、長さ１５０ｍｍの細長の中空部材であり、その内部に発光素子１０や取得部２０（いずれも後述）が配置されている。発光部２は、発光素子１０が発する光を透過できるよう透明、または半透明の材料で形成されている。
【００１６】
また、本実施形態において、発光部２の先端側（把持部３が連結される基端側とは反対側）の側面には、開口部４が形成されている。開口部４は、外部からの光を携帯発光装置１内に取り込むための部分である。発光部２内の開口部４に対応する位置に、取得部２０（カラーセンサ２１。後述）が配置されている。開口部４は、光を取り込むことができればよく、ガラス等の透明部材が設けられていてもよい。なお、開口部４の位置や大きさは特に限定されるものではないが、携帯発光装置１の操作や発光部２から発せられる光の影響を受け難い位置が望ましい。また、開口部４の数は、取得部２０の数に応じて設けることができる。
【００１７】
把持部３は、携帯発光装置１を使用するユーザーが把持する部分である。把持部３は、たとえば、直径３０ｍｍ、長さ１００ｍｍの細長の中空部材であり、その内部に制御部３０（後述）や電池（図示無し）が配置されている。把持部３は、発光部２同様、透明または半透明の材料で形成されていてもよいし、不透明の材料で形成されていてもよい。
【００１８】
また、把持部３の表面には、携帯発光装置１に対する各種入力を行うための入力部が設けられている。本実施形態においては、２つの入力部５ａ及び入力部５ｂが設けられている。入力部５ａ及び入力部５ｂは、たとえば、プッシュ式のボタンやスライド式のアナログスイッチである。
【００１９】
入力部５ａは、携帯発光装置１の電源をオンオフするための指示入力を行う際に使用される。入力部５ｂは、携帯発光装置１の発光色を自動で切り替えるための指示入力を行う際に使用される。なお、入力部の位置、形状、種類については、図１の例に限られない。たとえば、３つ目の入力部として、発光色を手動で切り替えるための切り替えスイッチを設けてもよい。
【００２０】
＝＝携帯発光装置の内部構成＝＝
図２に示すように、本実施形態に係る携帯発光装置１は、発光素子１０、取得部２０、及び制御部３０を含む。
【００２１】
［発光素子］
発光素子１０は、電池から電圧が印加された場合に所定の色で光を発する素子である。発光素子１０は、たとえば、発光ダイオード（ＬＥＤ）のような半導体素子である。本実施形態に係る携帯発光装置１は、複数の発光素子を有する。各発光素子は、発光色が異なっている。本実施形態においては、赤色（Ｒ）の光を発する赤色ＬＥＤ１０ａ、緑色（Ｇ）の光を発する緑色ＬＥＤ１０ｂ、及び青色（Ｂ）の光を発光する青色ＬＥＤ１０ｃの３つの発光素子を含む。
【００２２】
なお、携帯発光装置１は、異なる色の光を発する発光素子を少なくとも２つ備えていればよい。すなわち、発光素子の数や発光色は図２の例に限定されない。たとえば、上記３つの発光素子に加え（或いは変えて）、白色（Ｗ）の光を発光する白色ＬＥＤや黄色（Ｙ）の光を発光する黄色ＬＥＤを用いてもよい。また、発光される光の照度を高めるために、同じ発光色の発光素子を複数設けること（たとえば、赤色ＬＥＤ１０ａ、緑色ＬＥＤ１０ｂ、及び青色ＬＥＤ１０ｃそれぞれを２つずつ設けること）でもよい。また、発光部２内における各発光素子の配置についても特に限定されない。
【００２３】
［取得部］
取得部２０は、外部の光を受光し、受光した光に含まれる色成分に基づく発光色情報を取得する。発光色情報は、発光素子から発せられる光の輝度を設定するための情報である。本実施形態に係る取得部２０は、カラーセンサ２１及び発光色情報取得回路２２を含む。
【００２４】
（カラーセンサ）
カラーセンサ２１は、開口部４を介して携帯発光装置１外部の光を受光する部材である。カラーセンサ２１は、受光した光の色信号を発光色情報取得回路２２に出力する。
【００２５】
カラーセンサ２１は、複数の受光部を含む。受光部は、発光素子が発光する光の種類に応じて設けることができる。本実施形態に係るカラーセンサ２１は、発光素子１０が発する赤色の光、緑色の光、及び青色の光に応じて、第１の受光部２１ａ、第２の受光部２１ｂ、及び第３の受光部２１ｃの３つを有する。第１の受光部２１ａは、赤帯域に受光感度のピークを持つ。第２の受光部２１ｂは、緑帯域に受光感度のピークを持つ。第３の受光部２１ｃは、青帯域に受光感度のピークを持つ。すなわち、カラーセンサ２１は、可視光領域（３８０ｎｍ〜７８０ｎｍ）の光をＲＧＢそれぞれの色信号に分けて検出できる。
【００２６】
なお、このようなカラーセンサ２１は、市販のカラーセンサ（たとえば、浜松ホトニクス社製のＲＧＢカラーセンサ）を利用することができる。また、発光素子１０として、赤色ＬＥＤ、緑色ＬＥＤ、青色ＬＥＤ、及び白色ＬＥＤを用いる場合、ＲＧＢの色信号を検出する上述の受光部の他に、白帯域（可視光領域全体）に受光感度を持つ受光部を備えるカラーセンサを用いることができる。
【００２７】
（発光色情報取得回路）
発光色情報取得回路２２は、カラーセンサ２１で受光した各帯域の光の色信号に基づいて、所定の色成分の発光色情報を取得する。発光色情報取得回路２２は、取得した発光色情報を制御部３０に出力する。
【００２８】
本実施形態において、カラーセンサ２１は、ＲＢＧ帯域の光の色信号を検出する。発光色情報取得回路２２は、これらの色信号に基づいて、赤色成分、緑色成分、青色成分の発光色情報を取得する。発光色情報は、たとえば、色成分毎に０〜１００の範囲で決定される数値として取得される。
【００２９】
［制御部］
制御部３０は、携帯発光装置１における各種制御を行う。制御部３０は、ＣＰＵ３０ａ及びメモリ３０ｂを含む。制御部３０は、たとえば入力部５ａや入力部５ｂからの指示入力に基づいて、発光素子１０や取得部２０の動作を制御する。また、制御部３０は、取得された発光色情報に基づいて、発光素子１０が発する光の輝度を設定し、発光素子１０の発光及び発光停止の制御を行う。
【００３０】
本実施形態において、制御部３０は、取得された赤色成分の発光色情報に基づいて、赤色ＬＥＤ１０ａが発する光の輝度を設定し、取得された緑色成分の発光色情報に基づいて、緑色ＬＥＤ１０ｂが発する光の輝度を設定し、取得された青色成分の発光色情報に基づいて、青色ＬＥＤ１０ｃが発する光の輝度を設定する。
【００３１】
たとえば、発光色情報として、「Ｒ：Ｇ：Ｂ＝２５：８５：５０」が入力された場合、制御部３０は、各ＬＥＤの輝度を「赤色ＬＥＤ：緑色ＬＥＤ：青色ＬＥＤ＝２５：８５：５０」の割合で設定し、設定した輝度で各ＬＥＤを発光させる。各ＬＥＤが発した光は混色し、所定の色（ＲＢＧが上記割合で混ざった色）として発光部２から発せられる。
【００３２】
＝＝携帯発光装置の使用方法＝＝
次に、図３を参照して、本実施形態に係る携帯発光装置１の具体的な使用方法について説明する。図３は、携帯発光装置１の動作を示すフローチャートである。この例では、コンサート会場の観客席でアーティストのライブを鑑賞しているユーザーＵ１及びユーザーＵ２それぞれが携帯発光装置１を所有している。ユーザーＵ１とユーザーＵ２は面識が有ってもよいし無くてもよいが、ユーザーＵ１はユーザーＵ２の隣の席に座っている。また、ユーザーＵ１が所有する携帯発光装置１が発光色Ｌの光を発している一方、ユーザーＵ２が所有する携帯発光装置１はいかなる色の光も発していないとする。これは、たとえば、ユーザーＵ１は、ライブコンサートにおける携帯発光装置１の操作や楽曲の進行に合わせた発光色の設定内容（演出内容）を熟知しているが、ユーザーＵ２は、携帯発光装置１の操作に不慣れ且つ演出内容も把握していない、といったケースである。
【００３３】
ユーザーＵ２は、まず自己の携帯発光装置１の入力部５ｂを介して発光色を切り替えるための指示入力を行う（発光色切替の指示入力。ステップ１０）。当該指示入力に基づき、制御部３０は取得部２０を駆動させる。
【００３４】
その後、ユーザーＵ２は、自己の携帯発光装置１の開口部４をユーザーＵ１の携帯発光装置１側に向け、携帯発光装置１に発光色Ｌの光を受光させる。
【００３５】
カラーセンサ２１は、第１の受光部２１ａ〜第３の受光部２１ｃにより、発光色Ｌの光を帯域毎に受光する（外部の光を受光。ステップ１１）。カラーセンサ２１は、受光した各帯域の光の色信号を発光色情報取得回路２２に出力する（各帯域の色信号を出力。ステップ１２）。
【００３６】
発光色取得回路２２は、ステップ１２で出力された色信号に基づいて、各色成分の発光色情報を取得する（発光色情報の取得。ステップ１３）。発光色取得回路２２は、取得した発光色情報を制御部３０に出力する。
【００３７】
制御部３０は、ステップ１３で取得された発光色情報に基づいて、赤色ＬＥＤ１０ａ、緑色ＬＥＤ１０ｂ、及び青色ＬＥＤ１０ｃが発する光の輝度を設定する（発光素子の輝度を設定。ステップ１４）。
【００３８】
そして、制御部３０は、ステップ１４で設定した輝度になるよう赤色ＬＥＤ１０ａ、緑色ＬＥＤ１０ｂ、及び青色ＬＥＤ１０ｃを発光させる（発光素子の発光。ステップ１５）。
【００３９】
以上の通り、本実施形態に係る携帯発光装置１は、複数の発光素子１０と、外部の光を受光し、受光した光に含まれる色成分に基づく発光色情報を取得する取得部２０と、取得された発光色情報に基づいて、発光素子１０が発する光の輝度を設定し、発光素子１０の発光及び発光停止の制御を行う制御部３０と、を有する。より具体的には、複数の発光素子１０は、少なくとも赤色ＬＥＤ１０ａ、緑色ＬＥＤ１０ｂ、青色ＬＥＤ１０ｃを含む。取得部２０は、少なくとも赤帯域に受光感度のピークを持つ第１の受光部２１ａ、緑帯域に受光感度のピークを持つ第２の受光部２１ｂ、及び青帯域に受光感度のピークを持つ第３の受光部２１ｃを含むカラーセンサ２１と、カラーセンサ２１で受光した各帯域の光の色信号に基づいて、少なくとも赤色成分、緑色成分、青色成分の発光色情報を取得する発光色情報取得回路２２と、を有する。制御部３０は、取得された赤色成分の発光色情報に基づいて、赤色ＬＥＤ１０ａが発する光の輝度を設定し、取得された緑色成分の発光色情報に基づいて、緑色ＬＥＤ１０ｂが発する光の輝度を設定し、取得された青色成分の発光色情報に基づいて、青色ＬＥＤ１０ｃが発する光の輝度を設定する。
【００４０】
このような携帯発光装置１によれば、既に所定の色で発光している他のユーザーの携帯発光装置１からの光を受光するだけで、自動的に自己の携帯発光装置１を他のユーザーの携帯発光装置１と同色で発光させることができる。従って、携帯発光装置１の操作に不慣れなユーザーや演出内容を把握できていないユーザーであっても、適切に携帯発光装置１の発光色を切り替えることができる。すなわち、本実施形態に係る携帯発光装置１によれば、発光色の切り替えを適切且つ容易に行うことができる。
【００４１】
なお、上記例では、入力部５ｂによる指示入力に基づいて発光色の切り替えを開始する例について述べたが、これに限られない。たとえば、電源がオンされている場合には、切り替えの指示入力が無い場合であっても、所定の明るさ以上の光を受光した場合にのみ取得部２０で発光色情報を取得し、当該発光色情報に基づいて、制御部３０が発光色の切り替えを行うようにしてもよい。これにより、開口部４を発光中の他のユーザーの携帯発光装置１に近付けるだけで、当該他の利用者の携帯発光装置１と同色で発光させることができる。あるいは切り替えの指示入力を一度行い、その時に受光した明るさを上述の所定の明るさとして記憶し、それ以後は、開口部４を発光中の他のユーザーの携帯発光装置１に近付ける度に発光色の切り替えを行うようにしてもよい。
【００４２】
また、演出の途中等においては、携帯発光装置１が既に発光した状態で発光色の切り替えを行う場合がある。この場合、自己の携帯発光装置１が発する光自体を受光してしまう可能性がある。そこで、制御部３０は、発光素子１０が発光した状態で入力部５ｂから発光色を切り替えるための指示入力があった場合、発光素子１０の発光を停止させた後に発光素子１０が発する光の輝度を設定し、再度、発光素子１０を発光させることが好ましい。この場合、自己の携帯発光装置１が発する光自体を受光することが無いため、所望の光（他のユーザーの携帯発光装置１が発する光）をより確実に受光できる。
【００４３】
また、上記例のように受光部の数と発光素子が発光する光の種類とは必ずしも一対一で対応する必要は無い。たとえば、発光素子１０として、赤色ＬＥＤ、緑色ＬＥＤ、青色ＬＥＤ、及び黄色ＬＥＤを用いる場合に、カラーセンサ２１として、ＲＧＢ３色の色信号を検出するものを用いてもよい。この場合、発光色情報取得回路２２は、予め設定された所定のテーブルを参照し、ＲＧＢの色信号に基づいてＲＧＢＹの各色成分の発光色情報を取得する。所定のテーブルは、カラーセンサ２１からの色信号の出力値と、ＲＧＢＹの輝度とを対応付けたものであり、たとえば、Ｙの輝度は、Ｒの色信号及びＧの色信号に基づいて決定される。
【００４４】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００４５】
１  携帯発光装置
５ａ、５ｂ  入力部
１０  発光素子
１０ａ  赤色ＬＥＤ
１０ｂ  緑色ＬＥＤ
１０ｃ  青色ＬＥＤ
２０  取得部
２１  カラーセンサ
２１ａ  第１の受光部
２１ｂ  第２の受光部
２１ｃ  第３の受光部
２２  発光色情報取得回路
３０  制御部
【図１】
2019083124.tif 000003
【図２】
2019083124.tif 000004
【図３】
2019083124.tif 000005